(57)【要約】  肌に吸収性物品が追従してくるような触感を実現し、装着感を向上させることができる吸収性物品を提供する。吸収性物品の液透過領域（ＲＡ）の肌当接面における、５０ｇｆ/ｃｍ２荷重時の平均表面摩擦係数（ＭＩＵ）は、０．１５よりも大きい。液透過領域（ＲＡ）の肌当接面における、５０ｇｆ/ｃｍ２荷重時の平均表面摩擦係数の変動（ＭＭＤ）は、０．００７よりも小さい。液透過領域（ＲＡ）の肌当接面から非肌当接面に向けて測定した、５０ｇｆ/ｃｍ２荷重時の前記吸収性物品の圧縮硬さ（ＬＣ）は、０．４よりも大きい。液透過領域（ＲＡ）の肌当接面から非肌当接面に向けて測定した、５０ｇｆ/ｃｍ２荷重時の吸収性物品の圧縮エネルギー（ＷＣ）は、５．５ｇ・ｃｍ／ｃｍ２よりも小さい。
2015159878.tif 000002
【特許請求の範囲】
【請求項１】
製品前後方向と、前記製品前後方向に直交する製品幅方向とを有し、  体液を吸収する吸収層と、前記吸収層よりも着用者の肌当接面側に位置する表面層と、前記吸収層よりも着用者の非肌当接面側に位置する裏面層と、を備える吸収性物品であって、  前記表面層は、樹脂及び繊維の少なくとも一方を含んでおり、  前記表面層には、肌当接面側から吸収層側に液が透過する液透過領域が前記吸収層と平面視にて重なる位置に設けられており、  前記液透過領域の肌当接面における、５０ｇｆ/ｃｍ２荷重時の平均表面摩擦係数(ＭＩＵ）は、０．１５よりも大きく、  前記液透過領域の肌当接面における、５０ｇｆ/ｃｍ２荷重時の平均表面摩擦係数の変動（ＭＭＤ）は、０．００７よりも小さく、  前記液透過領域の前記肌当接面から前記非肌当接面に向けて測定した、５０ｇｆ/ｃｍ２荷重時の前記吸収性物品の圧縮硬さ（ＬＣ）は、０．４よりも大きく、  前記液透過領域の前記肌当接面から前記非肌当接面に向けて測定した、５０ｇｆ/ｃｍ２荷重時の前記吸収性物品の圧縮エネルギー（ＷＣ）は、５．５ｇ・ｃｍ／ｃｍ２よりも小さい、吸収性物品。
【請求項２】
前記液透過領域の肌当接面の表面粗さ（ＳＭＤ）は、１．８μｍ以下である、請求項１に記載の吸収性物品。
【請求項３】
前記表面層は、前記吸収層を覆い、かつ繊維及び樹脂の少なくとも一方を含む液透過性シートと、前記液透過性シートの肌当接面側において不連続に配置された樹脂製のゲルと、を有する、請求項１又は請求項２に記載の吸収性物品。
【請求項４】
前記表面層及び前記吸収層は、複数の孔が形成された樹脂製のゲルによって構成されている、請求項１又は請求項２に記載の吸収性物品。
【請求項５】
前記表面層の液透過領域は、1.5dtex以下の熱可塑性繊維を含む不織布によって構成され、  前記不織布の目付は、１０ｇ/ｍ２以上３５ｇ/ｍ２以下である、請求項１又は請求項２に記載の吸収性物品。
【請求項６】
製品前後方向と、前記製品前後方向に直交する製品幅方向とを有し、  体液を吸収する吸収層と、前記吸収層よりも着用者の肌当接面側に位置する表面層と、前記吸収層よりも着用者の非肌当接面側に位置する裏面層と、を備える吸収性物品であって、  前記表面層の肌当接面側には、ゲルが配置されている、吸収性物品。
【請求項７】
前記ゲルは、前記製品前後方向及び前記製品幅方向の少なくとも一方において不連続に配置されている、請求項６に記載の吸収性物品。
【請求項８】
前記ゲルのゴム硬度は、１５°未満である、請求項３、請求項４、請求項６及び請求項７のいずれかに記載の吸収性物品。
【請求項９】
製品前後方向と、前記製品前後方向に直交する製品幅方向とを有し、  体液を吸収する吸収層と、前記吸収層よりも着用者の肌当接面側に位置する表面層と、前記吸収層よりも着用者の非肌当接面側に位置する裏面層と、を備える吸収性物品であって、  前記表面層は、1.5dtex以下の熱可塑性繊維を含む不織布によって構成され、  前記不織布の目付は、１０ｇ/ｍ２以上３５ｇ/ｍ２以下である、吸収性物品。
【発明の詳細な説明】
【技術分野】
【０００１】  本発明は、吸収性物品に関する。
【背景技術】
【０００２】  従来より、表面シート等のクッション性を高めたり、表面シートの滑らかさを高めたりして、吸収性物品の肌触りを向上させることが行われている。例えば、特許文献１には、着用者の肌に触れる表面シート等のクッション性を高めた生理用ナプキンが開示されている。【０００３】  特許文献１の生理用ナプキンは、起毛する繊維の本数が８本／ｃｍ以上であり且つ起毛高さが５ｍｍ以下である起毛繊維を備えた不織布によって表面シートが構成されている。このような起毛繊維を有する不織布によって表面シートが構成されているため、表面シートのクッション性が高まる。よって、生理用ナプキンの肌触りが向上する。
【先行技術文献】
【特許文献】
【０００４】
【特許文献１】特開２０１３−０２７６８６号公報
【発明の概要】
【０００５】  しかし、近年、吸収性物品の装着感に対する要求が高くなっており、更なる肌触りの向上が求められている。このような観点で本出願人が鋭意研究を重ねた結果、表面シートの滑らかさやクッション性のみならず、肌に吸収性物品が追従してくるような触感が装着感の向上に貢献することがわかった。
【０００６】  そこで、本発明は、肌に吸収性物品が追従してくるような触感を実現し、装着感を向上させることができる吸収性物品を提供することを目的とする。
【０００７】  本開示に係る吸収性物品は、製品前後方向と、前記製品前後方向に直交する製品幅方向とを有し、体液を吸収する吸収層と、前記吸収層よりも着用者の肌当接面側に位置する表面層と、前記吸収層よりも着用者の非肌当接面側に位置する裏面層と、を備える吸収性物品であって、前記表面層は、樹脂及び繊維の少なくとも一方を含んでおり、前記表面層には、肌当接面側から吸収層側に液が透過する液透過領域が前記吸収層と平面視にて重なる位置に設けられており、前記液透過領域の肌当接面における、５０ｇｆ/ｃｍ２荷重時の平均表面摩擦係数(ＭＩＵ）は、０．１５よりも大きく、前記液透過領域の肌当接面における、５０ｇｆ/ｃｍ２荷重時の平均表面摩擦係数の変動（ＭＭＤ）は、０．００７よりも小さく、前記液透過領域の前記肌当接面から前記非肌当接面に向けて測定した、５０ｇｆ/ｃｍ２荷重時の前記吸収性物品の圧縮硬さ（ＬＣ）は、０．４よりも大きく、前記液透過領域の前記肌当接面から前記非肌当接面に向けて測定した、５０ｇｆ/ｃｍ２荷重時の前記吸収性物品の圧縮エネルギー（ＷＣ）は、５．５ｇ・ｃｍ／ｃｍ２よりも小さいことを要旨とする。
【０００８】  また、本開示に係る吸収性物品は、製品前後方向と、前記製品前後方向に直交する製品幅方向とを有し、体液を吸収する吸収層と、前記吸収層よりも着用者の肌当接面側に位置する表面層と、前記吸収層よりも着用者の非肌当接面側に位置する裏面層と、を備える吸収性物品であって、前記表面層の肌当接面側には、ゲルが配置されていることを要旨とする。
【０００９】  また、本開示に係る吸収性物品は、製品前後方向と、前記製品前後方向に直交する製品幅方向とを有し、体液を吸収する吸収層と、前記吸収層よりも着用者の肌当接面側に位置する表面層と、前記吸収層よりも着用者の非肌当接面側に位置する裏面層と、を備える吸収性物品であって、前記表面層は、1.5dtex以下の熱可塑性繊維を含む不織布によって構成され、前記不織布の目付は、１０ｇ/ｍ２以上３５ｇ/ｍ２以下であることを要旨とする。
【図面の簡単な説明】
【００１０】
【図１】第１の実施形態に係る吸収性物品の肌当接面側から見た平面図である。
【図２】図１に示すＡ−Ａ断面の模式断面図である。
【図３】第２の実施形態に係る吸収性物品の肌当接面側から見た平面図である。
【図４】図３に示すＢ−Ｂ断面の模式断面図である。
【図５】第３の実施形態に係る吸収性物品の肌当接面側から見た平面図である。
【図６】図３に示すＣ−Ｃ断面の模式断面図である。
【発明を実施するための形態】
【００１１】  図面を参照して、第１の実施形態に係る吸収性物品１について説明する。図１は、吸収性物品の平面図であり、図２は、図１に示すＡ−Ａ断面図である。第１の実施形態に係る吸収性物品１は、例えば、生理用ナプキンである。
【００１２】  実施の形態に係る吸収性物品は、昼用の生理用ナプキンである。したがって、本実施の形態に係る吸収性物品は、製品前後方向において着用者の前側に位置する前側領域と、着用者の後側に位置する後側領域との長さが略同じである。
【００１３】  なお、後述する一対のウイング部の間の領域は、着用者の排泄口が当接する排泄口当接領域を含む中央領域である。中央領域よりも前側が前側領域となり、中央領域よりも後側が後側領域となる。
【００１４】  なお、本実施の形態では、昼用の生理用ナプキンを例に挙げて説明しているが、本発明に係る吸収性物品は、夜用の生理用ナプキンにおいても適用することができる。夜用の生理用ナプキンは、製品前後方向において着用者の前側に位置する前側領域よりも、着用者の後側に位置する後側領域の方が長く構成されている。
【００１５】  吸収性物品１は、体液を吸収する吸収層３０と、吸収層３０よりも着用者の肌当接面側に位置する表面層１０と、吸収層３０よりも着用者の非肌当接面側に位置する裏面層２０と、を備える。吸収層３０は、表面層１０と裏面層２０との間に配設される。従って、吸収層３０は、図１において破線で示される。吸収層３０は、吸収性物品１の製品前後方向Ｌ及び製品幅方向Ｗにおける中央部分に配設される。
【００１６】  吸収層３０は、吸収性物品１の製品前後方向Ｌ及び製品幅方向Ｗにおける中央部分に配設される。吸収性物品１は、図１に示す平面視にて、製品前後方向Ｌに直交する製品幅方向Ｗにおいて吸収層３０の外側に設けられるウイング部４３を備える。なお、吸収性物品は、ウイング部を備えていなくてもよい。
【００１７】  表面層１０は、表面シートとしての液透過性シート１１と、液透過性シートの肌当接面側において不連続に配置されたゲル１２と、液透過性シートの製品幅方向端部の肌当接面側に配置されたサイドシート１３と、を有する。
【００１８】  液透過性シート１１は、樹脂及び繊維の少なくとも一方を含んでいる。液透過性シート１１は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１９】  ゲル１２は、製品前後方向に連続した線状であり、製品幅方向に間隔を空けて５列に配置されている。ゲル１２は、体温程度（３５°〜４０°）においてゲル状（固体でもなく、液体でもな状態）となるように構成されている。
【００２０】  ゲルは、例えば、アルコール成分と有機ポリイソシアネートとを混合させたポリウレタン組成物であって、アルコール成分の合計量を１００重量部とした時、官能基数２．４〜３．０、分子量３，０００〜６，０００のポリオールを９９．５〜９０重量部と、二級若しくは三級の高級モノアルコールを０．５〜１０重量部含有するポリウレタン組成物によって構成できる。
【００２１】  なお、ゲルは、粘着性のある樹脂のゲルであればよく、ポリウレタンゲルからなるゲルに限定されない。他の粘着性のあるゲルとしては、シリコンゲル、ポリスチレンゲル、アクリルゲル、ポリ塩化ビニルゲル、ゼラチンゲルを例示できる。これらの中でも、粘着性、剥離性及び肌への追随性に優れ、また、可塑剤が添加されない点から上記のポリウレタンゲルが好ましい。
【００２２】  ゲル１２の配置は、第１の実施形態の構成に限られず、種々の構成を採用できる。例えば、ゲル１２は、製品幅方向に延びる線状であって、製品前後方向に間隔を空けて配置されていてもよいし、複数間欠的に配置された点状であってもよいし、シート形状であって、スリット等の切れ込みが複数形成されていてもよい。
【００２３】  サイドシート１３の製品幅方向内側端部は、液透過性シート１１の製品幅方向外側端部を覆う。サイドシート１３の製品幅方向外側端部は、吸収層３０よりも製品幅方向外側に延出し、ウイング部４３の製品幅方向外側端部に位置する。サイドシート１３は、不織布、織布、開孔フィルム、メッシュシート等、液体を透過しない構造のシート状の材料であれば、特に限定されない。
【００２４】  なお、表面層１０は、液透過性シート１１とゲル１２を含み、かつサイドシート１３を含まない構成であってもよい。
【００２５】  裏面層２０は、液不透過性シート２１を有する。液不透過性シート２１は、表面層１０の長さと略同一の長さを有する。液不透過性シート２１は、表面層と異なる材料からなる。ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。
【００２６】  吸収層３０は、親水性繊維、パルプを含む積層体３１を有する。積層体３１は、経血などの体液を吸収可能な材料によって形成される。例として、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、もしくは親水化処理を施した熱可塑性疎水性化学繊維、ケミカルボンド処理されたエアレイドパルプ等を単独又は混合して用いることができる。
【００２７】  本実施の形態に係る積層体３１は、綿状パルプや合成パルプ等を目付５０〜７００ｇ／ｍ２程度に積層したパルプを保護紙（図示せず）で包むことによって構成されている。保護紙は、パルプの形状を保持するためのものであり、例えばクレープ紙やティッシュペーパーなどを用いることができる。 
【００２８】  吸収層３０は、製品前後方向に延びる形状である。吸収層３０の製品前後方向の長さは、裏面層２０の製品前後方向の長さよりも短い。吸収層３０の製品幅方向Ｗの長さは、成人女性の股間隔に対応しており、概ね５０〜８０ｍｍである。吸収層３０は、ホットメルトなどの接着剤によって裏面層２０に接着される。
【００２９】  吸収性物品１では、表面層１０及び裏面層２０の周縁が接合されて、吸収層３０が内封される。表面層１０と裏面層２０との接合方法としては、ヒートエンボス加工、超音波、又はホットメルト接着剤のいずれか一つ、又は複数を組み合わせることが可能である。
【００３０】  裏面層２０において、下着と接触する表面には、複数の領域において粘着剤（図示せず）が塗布されている。使用前の状態では、粘着剤は、図示しない剥離シートに接している。剥離シートは、使用前に粘着剤が劣化するのを防止している。そして、使用時に着用者によって剥離シートが剥離される。
【００３１】  なお、剥離シートを有しない吸収性物品においては、吸収性物品を個別に包装する包装シートによって使用前に粘着剤が劣化するのを防止するように構成されていてもよい。
【００３２】  また、吸収性物品１には、表面層１０及び吸収層３０を厚み方向に圧縮した圧搾部が形成されていてもよい。
【００３３】  次いで、第１の実施の形態に表面層について詳細に説明する。表面層１０は、液透過領域ＲＡと、液不透過領域ＲＢと、を有する。液透過領域ＲＡは、肌当接面側から吸収層側に液が透過する領域である。具体的には、液透過領域ＲＡは、液透過性シート１１が配置され、かつゲル１２が配置されていない領域である。また、液不透過領域ＲＢは、液透過性シート１１が配置され、かつゲル１２が配置されている領域、及びサイドシート１３が配置された領域である。液透過領域ＲＡは、吸収層と平面視にて重なる位置に設けられている。よって、着用者から排出された体液は、液透過領域ＲＡを介して吸収層３０に導かれる。
【００３４】  このように構成された吸収性物品１Ａを着用者が装着すると、着用者の肌にゲル１２の肌当接面が当てられる。ゲルの態様の物質により、着用者が触れたときに、着用者の肌の凹凸にゲルが馴染む（入り込む）ことができる。よって、単に表面が抵抗感のない感覚ではなく、一定の抵抗感が得られるようになる。更には、吸収性物品の厚み方向に押したときに、一定の押し込み量が得られ、かつ押した力を解除した際にゲルが元の厚みに戻ろうとする戻り感が得られる。これらにより、肌に吸収性物品が追従してくるような触感を得ることができる。
【００３５】  また、ゲル１２は、製品幅方向の少なくとも一方において不連続に配置されている。よって、着用者から排出された体液は、ゲル１２間の液透過領域ＲＡを介して吸収層３０に到達し、吸収層３０に吸収される。
【００３６】  第１の実施形態に係る表面層１０の肌当接面における、５０ｇｆ／ｃｍ2荷重時の平均表面摩擦係数（ＭＩＵ）は、０．１５よりも大きい。また、液透過領域の肌当接面における、５０ｇｆ/ｃｍ２荷重時の平均表面摩擦係数の変動（ＭＭＤ）は、０．００７よりも小さい。
【００３７】  平均表面摩擦係数は、液透過領域の風合いを示す指標であり、値が大きい程表面の抵抗感、ヌメリ感が大きくなることを示す。平均表面摩擦係数が０．１５よりも大きいことにより、肌に吸収性物品が追従してくるような触感がより優れたものとなる。平均表面摩擦係数の上限は特に限定されないが、通常１．０である。また、平均表面摩擦係数の変動（ＭＭＤ）は、摩擦係数のばらつきを示す指標であり、値が大きい程、表面のざらつき感が大きくなることを示す。
【００３８】  平均表面摩擦係数及び平均表面摩擦係数の変動（ＭＭＤ）は、以下の方法によって測定できる。摩擦距離３０ｍｍに合わせてサンプルを用意し、カトーテック（株）製の表面摩擦係数測定器（ＫＥＳ−FB4-AUTO-A）を用いて、当該サンプルの平均表面摩擦係数（ＭＩＵ）及び平均表面摩擦係数の変動（ＭＭＤ）を測定した。測定条件は、標準摩擦子（指紋タイプ）、摩擦時の荷重５０ｇｆ／ｃｍ2（１．０１９７ｋｇｆ／ｃｍ2）、測定感度Ｌ（感度１００ｇ／Ｖ）とした。摩擦距離、摩擦速度等その他の条件は装置仕様通りである（摩擦距離３０ｍｍ、解析距離２０ｍｍ、試料移動速度１ｍｍ／ｓｅｃ）。
【００３９】  平均表面摩擦係数（ＭＩＵ）は、２０ｍｍの解析距離にわたって測定したサンプル表面の摩擦係数の平均値である。平均表面摩擦係数の変動（ＭＭＤ）は、２０ｍｍの解析距離にわたって測定したサンプル表面の摩擦係数の平均偏差である。
【００４０】  また、第１の実施形態に係る液透過領域の肌当接面側から非肌当接面側に向けて測定した、５０ｇｆ/ｃｍ２荷重時の吸収性物品の圧縮硬さは、０．４よりも大きく、液透過領域の肌当接面から非肌当接面に向けて測定した、５０ｇｆ/ｃｍ２荷重時の吸収性物品の圧縮エネルギーは、５．５ｇ・ｃｍ／ｃｍ２よりも小さい。５０ｇｆ/ｃｍ２荷重時の吸収性物品の圧縮硬さは、吸収性物品の小さな力での圧縮性を示しており、値が大きくなるほど圧縮時の硬さが発現していることとなる。圧縮エネルギー（ＷＣ）は、値が大きくなるほど、圧縮されやすいことを示している。なお、圧縮エネルギーは、圧縮仕事量（ＷＣ値）のことを意味する。
【００４１】  吸収性物品の圧縮硬さ（ＬＣ）及び圧縮エネルギー（ＷＣ）は、以下の方法によって測定できる。カトーテック（株）製の圧縮試験機（ＫＥＳ−ＦＢ３）を用いて、試料の圧縮変位量を測定した。液透過領域の肌当接面から非肌当接面に向けて圧縮するように、圧縮試験機に吸収性物品をセットし、加圧板は２ｃｍ2の円形の加圧板を用いて、０．０２ｍｍ／ｓｅｃのスピードで５０ｇｆ／ｃｍ2まで圧縮し、圧縮硬さ（ＬＣ）及び圧縮エネルギー（ＷＣ）を計測した。測定条件として、圧縮変形速度を０．０２ｍｍ／ｓeｃ、圧縮最大荷重を５０ｇｆ／ｃｍ２とした。
【００４２】  液透過領域の肌当接面の表面粗さ（ＳＭＤ）は、１．８μｍ以下である。表面粗さ（ＳＭＤ）とは、液透過領域の表面風合い（例えば、ザラツキ、粗さ、凹凸感）を示す指標であり、値が小さい程ザラツキが小さく、粗さ、凹凸感が無く、なめらかでキメが細かい感覚が得られ、肌に吸収性物品が追従してくるような触感がより優れたものとなる。表面粗さ（ＳＭＤ）の下限は特に限定されないが、通常１．０μｍ以上である。表面粗さ（ＳＭＤ）は、ＫＥＳ（Kawabata Evaluation System）法によって測定されるものである。
【００４３】  表面粗さの測定方法は、以下の方法によって測定できる。カトーテック（株）製の表面試験機（ＫＥＳ−ＦＢ４−ＡＵＴＯ−Ａ）を用いて、試料表面の上下厚み変動を測定した。測定条件は５ｍｍ幅の０．５ｍｍ径ピアノ線に０．０９８Ｎの荷重をかけ、摩擦距離３０ｍｍ、解析距離２０ｍｍ、試料移動速度１ｍｍ／ｓｅｃとした。
【００４４】  表面層１０は、５０ｇｆ/ｃｍ２荷重時の平均表面摩擦係数(ＭＩＵ）が０．１５よりも大きく、かつ５０ｇｆ/ｃｍ２荷重時の平均表面摩擦係数の変動（ＭＭＤ）は、０．００７よりも小さいため、表面に抵抗感、ヌメリ感が大きくなる。例えば、表面の抵抗感が少なすぎると、使用中に肌と吸収性物品がこすれるおそれがある。しかし、液透過領域の表面に一定以上の抵抗感、ヌメリ感を設けることにより、肌に吸収性物品が追従してくるような触感を実現できる。
【００４５】  更に、液透過領域の肌当接面から非肌当接面に向けて測定した、５０ｇｆ/ｃｍ２荷重時の吸収性物品の圧縮硬さ（ＬＣ）が０．４よりも大きく、かつ５０ｇｆ/ｃｍ２荷重時の吸収性物品の圧縮エネルギー（ＷＣ）は、５．５ｇ・ｃｍ／ｃｍ２よりも小さいため、使用者が吸収性物品を柔らかいと感じ易くなる。また、吸収性物品の圧縮硬さ（ＬＣ）が０．４よりも大きく、かつ５０ｇｆ/ｃｍ２荷重時の吸収性物品の圧縮エネルギー（ＷＣ）が５．５ｇ・ｃｍ／ｃｍ２よりも小さいことにより肌に吸収性物品に触れた状態を維持し易くなり、肌に吸収性物品が追従してくるような触感を実現できる。液透過領域の適度な抵抗感と吸収性物品１全体の柔らかさによって、肌に吸収性物品が追従してくるような触感を効果的に実現できる。
【００４６】  また、使用者は、使用時に指で吸収性物品に触れたときに感じる触感により、装着したときの装着感を想像する。そして、使用者は、肌に吸収性物品を付けることを想像しながら、その製品に対しての装着感に対する印象を形成する。使用者が手で吸収性物品に触れたときの肌に吸収性物品が追従してくるような触感によって、その吸収性物品の装着性に対する期待感が強くなり、従来の吸収性物品よりも、つけ心地がより優れた印象を与えることが可能となる。安心して吸収性物品を使用することができる。
【００４７】  また、液透過領域の肌当接面側の表面粗さ（ＳＭＤ）は、１．８μｍ以下であるため、液透過領域の表面がなめらかでキメが細かい触感となる。よって、肌に液透過領域が触れた際に、液透過領域の表面が肌に追従するような感触を実現しやすくなる。
【００４８】  ゲルのゴム硬度は、１５°未満である。ゲルのゴム硬度は、１０°未満であることが好ましく、５°未満であることがより好ましい。ゲルのゴム硬度が１５°未満であることにより、肌に対してより馴染み易くなる。特に指で触った際に、指へ馴染み易くなる。指による押し込み及び指の押し込みを解除した際の変形が戻る際において、やわらかい印象となる。指等の肌に対してよりなじむことにより、使用前の期待感及び使用に対する安心感を得ることができる。なお、ゴム硬度は、「JIS K 6253-3:2012」規格に準じたものであり、デュロメータを用いて測定することができる。
【００４９】  次いで、第２の実施形態に係る吸収性物品１Ａについて説明する。なお、以下変形例の説明においては、上述した実施形態に係る吸収性物品１と同一部分には同一の符号を付して、相違する部分を主として説明する。
【００５０】  第２の実施形態は、表面層１０と吸収層３０の構成が、第１の実施形態と異なる。第２の実施形態の表面層１０は、液透過性シート１１と、サイドシート１３と、ゲル４１と、を有する。吸収層３０は、ゲル４１からなる。ゲル４１は、表面層１０及び吸収層３０の両方として機能している。
【００５１】  液透過性シート１１には、吸収層３０の製品幅方向中央を含み、かつ製品前後方向に延びる開口１１Ａが形成されている。液透過性シート１１は、ゲル４１の表面の一部を覆う。
【００５２】  ゲル４１は、第１の実施形態のゲル１２と同様の材質によって構成される。ゲル４１は、肌当接面から非肌当接面に貫通した孔４２が複数形成されている。ゲル４１の肌当接面の一部は、液透過性シート１１に覆われている。液透過性シート１１及びサイドシート１３によって覆われた部分のゲルは、吸収層３０を構成する。液透過性シート１１及びサイドシート１３によってゲルが覆われていない部分（開口１１Ａが配置された部分）は、表面層１０を構成する。
【００５３】  サイドシート１３によってゲル４１が覆われた部分は、液不透過領域ＲＢとなる。サイドシート１３によってゲル４１が覆われていない部分（液透過性シート１１のみによってゲル４１が覆われた部分、及び液透過性シート１１の開口１１Ａが配置された部分）は、液透過領域ＲＡとなる。液透過性シート１１によってゲル４１が覆われていない部分（開口１１Ａが配置された部分）よりも非肌当接面側に位置するゲル４１は、吸収層３０を構成する。
【００５４】  このように構成された吸収性物品１Ａを着用者が装着すると、着用者の肌にゲル４１の肌当接面が当てられる。ゲルの態様の物質により、着用者が触れたときに、着用者の肌の凹凸にゲルが馴染む（入り込む）ことができる。よって、単に表面が抵抗感のない感覚ではなく、一定の抵抗感が得られるようになる。更には、物品の厚み方向に押したときに、一定の押し込み量が得られ、押し込みから戻ったときには、ゲルが元の厚みに戻ろうとする戻り感が得られる。これらにより、肌に吸収性物品が追従してくるような触感を得ることができる。また、体液が排出された際は、液透過領域ＲＡにおけるゲル４１の孔４２内に体液が浸入し、ゲル４１の孔４２内に体液を保持したり、孔４２内に保持した体液をゲル４１によって吸収したりできる。
【００５５】  なお、ゲル４１の配置は、第２の実施形態の構成に限られず、種々の構成を採用できる。例えば、ゲル４１は、孔部の代わりに、肌当接面側から非肌当接側に向かって凹む凹部が形成されていてもよい。体液が排出された際は、複数の凹部が形成されたゲルに体液が浸入し、ゲル４１の凹部内に体液を保持したり、凹部内に保持した体液をゲル４１によって吸収したりできる。
【００５６】  次いで、第３の実施形態に係る吸収性物品１Ｂについて説明する。第３の実施形態は、表面層１０と吸収層３０の構成が、第１の実施形態と異なる。第３の実施形態の表面層１０は、液透過性シート１１と、サイドシート１３と、を有する。吸収層３０は、第１の実施形態と同様の構成であり、親水性繊維、パルプを含む。第３の実施形態は、ゲルが設けられていない。
【００５７】  第３の実施形態に係る液透過性シート１１は、1.5dtex以下の熱可塑性繊維を含む不織布によって構成されている。不織布の目付は、１０ｇ/ｍ２以上３５ｇ/ｍ２以下である。液透過性シート１１の一部は、サイドシート１３に覆われている。サイドシート１３によって覆われた部分の液透過性シート１１は、液不透過領域ＲＢとなる。サイドシート１３によって液透過性シート１１が覆われていない部分は、液透過領域ＲＡとなる。
【００５８】  なお、液透過性シート１１は、液透過性のシートである。よって、サイドシート１３によって液透過性シート１１が覆われた部分は、液不透過領域であり、サイドシート１３によって液透過性シート１１が覆われていない部分は、液透過領域である。
【００５９】  第３の実施の形態に係る液透過性シート１１は、以下に示す上層の繊維構成と下層の繊維構成とによって構成されており、上層が目付7g/m2及び下層が目付15g/m2の全体の目付が22g/m2の不織布シートである。以下、具体的な構成について説明する。
【００６０】  （ａ）下層の構成  後述の第１工程にて、第１カード機に第３繊維（下層用の繊維構成）として下記構成の複合繊維を供給して、単位面積当たりの質量が15g/m2の第１ウエブとし、所定の加工により不織布シートの下層とする。    ・繊維の芯成分：ポリエチレンテレフタレート（ＰＥＴ、融点約２６０℃）    ・繊維の鞘成分：高密度ポリエチレン（ＨＤＰＥ、融点約１３０℃）    ・繊度：２．２ｄｔｅｘ    ・繊維長：４５ｍｍ
【００６１】  （ｂ）  第１上層繊維    ・芯成分：ＰＥＴ（融点２６０℃）    ・鞘成分：ＨＤＰＥ（融点１３０℃）    ・繊度：１．３ｄｔｅｘ    ・繊維長：35ｍｍ
【００６２】  （ｃ）  第２上層繊維    ・芯成分：ＰＥＴ（融点２６０℃）    ・鞘成分：ＨＤＰＥ（融点１３０℃）    ・繊度：２．２ｄｔｅｘ    ・繊維長：４５ｍｍ
【００６３】  また、第１上層繊維と第２上層繊維の上層繊維中における繊維重量比率は、第１上層繊維が７０％、第２上層繊維が３０％である。
【００６４】  （ｄ）不織布シートの製造方法  第１工程では、第３繊維を第１カード機に供給し、第１ウエブを得る。
【００６５】  第２工程では、第１上層繊維・第２上層繊維を所定の混合比率にて第２カード機に供給し、第２ウエブを得て、それを第１ウエブに重ね、複合ウエブを得る。
【００６６】  第３工程では、複合ウエブがドライヤーを通過する。ドライヤーでは、ウエブを構成する繊維の表面を溶融させることのできる温度（例えば１４０℃）の加熱空気が複合ウエブに吹き付けられて、各種繊維どうしが部分的に互いに溶着して、一定の強度を有する不織布シートになる。
【００６７】  最終、ドライヤーを出た複合ウエブは、それが室温にまで冷却されることによって吸収性物品として使用することのできる不織布シートとする。
【００６８】  なお、液透過性シート１１は、表面にパターンニングされた凹凸（例えば、1.5mmピッチで凹部と凸部とが互いにならぶ）を有する不織布でなくてもよいし、凹凸を有していても良い。但し、凹凸を有する液透過性シート１１において、凹部表面には、1.3dtexの繊維層を有することが好ましい。
【００６９】  表面層の液透過領域ＲＡは、1.5dtex以下の熱可塑性繊維を含む不織布によって構成されている。よって、肌の表面の凹凸内に繊維が入り込み、液透過領域の表面に一定以上の抵抗感、ヌメリ感が生じる。よって、使用者は、肌に吸収性物品が追従してくるような触感を実現できる。
【００７０】  また、液透過性シート１１を構成する不織布の目付は、１０ｇ/ｍ２以上３５ｇ/ｍ２以下であるため、変形時の戻り量が多くなる傾向にあるため、肌に吸収性物品に触れた状態を維持し易くなり、肌に吸収性物品が追従してくるような触感を実現できる。液透過領域の適度な抵抗感と吸収性物品１Ｂ全体の柔らかさによって、肌に吸収性物品が追従してくるような触感を効果的に実現できる。
【００７１】  また、一般的に、1.5dtex以下の繊維は、指の指紋による凹凸よりも狭い。例えば、指の指紋による凸に対して複数の繊維が当たると、触覚器官が刺激されて「繊細で柔らかい」という感触を受ける。ここでの「繊細」とは、軽く触ることによって分かる非常にセンシティブな意味として表現している。よって、肌に吸収性物品が追従してくるような触感によって、使用者が手で吸収性物品に触れたときに、期待感が強くなる。
【００７２】  上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００７３】  吸収性物品は、生理用ナプキンのみならず、パンティーライナーや尿取りパッド、使い捨ておむつ等、吸収層を有する吸収性物品であればよい。例えば、乳幼児用の使い捨ておむつにおいては、母親が、着用者に装着する際に指等で触ることにより、肌に吸収性物品が追従してくるような触感を体感できる。近年、使い捨ておむつのユーザ（母親）の要求は高まっており、特に、乳幼児に着用する場合には、乳幼児の肌への負担を皆無にしたい、或いはできるだけ負担を減らしたいとの意識が高まっている。乳幼児用の使い捨ておむつの液透過領域を肌に追従するような触感とすることにより、乳幼児の肌へ優しいイメージをユーザが感じ、安心感を得ることができる。
【００７４】  次いで、表面層の比較評価について説明する。表１は、表面層の比較評価結果を示す。表１に示すように、実施例１及び実施例２、及び比較例１及び２に係る表面層について試験を実施した。
【００７５】
【表１】
2015159878.tif 000003
【００７６】  実施例１に係る表面層は、1.3dtexの熱可塑性繊維を含む目付7g/m2の上層と、目付15g/m2の上層とからなる目付が22g/m2のエアスルー不織布シートである。実施例２に係る表面層は、実施例１に係る表面層の肌当接面側にゲルを不連続的に塗布したものである。比較例１に係る表面層は、2.2dtexの熱可塑性繊維を含む目付7g/m2の上層と、目付15g/m2の下層とからなる目付が22g/m2のエアスルー不織布シートである。比較例２に係る表面層は、比較例１に係る表面層に5mm幅の凹凸を形成したエアスルー不織布シートである。各表面層の平均表面摩擦係数(ＭＩＵ）、平均表面摩擦係数の変動（ＭＭＤ）、圧縮硬さ（ＬＣ）及び圧縮エネルギー（ＷＣ）を表1に示す。
【００７７】  比較評価の試験は、ナプキンを使用している女性３０名が実施した。実施例１〜２、及び比較例１〜２に係るサンプルを机の上におき、実施者である女性が当該サンプルの表面を触り、次いで、実施者がサンプルを手に取り、サンプルの触感・肌触りについて、以下の質問をした。
【００７８】  質問１：「普段使用しているナプキンと比べて、触感・肌触りについて好ましいか？」。当該質問１に対して「好ましい」と答えた人数の比率が６０％以上のサンプルを官能評価（触感）が良好であり、○と評価した。また、質問１に対して「好ましい」と答えた人数の比率が６０%未満のサンプルを官能評価（触感）が良好でなく、×と評価した。 
【００７９】  質問２：「サンプルの触感・肌触りを言葉で表現すると何か？」。当該質問２に対する答えが、「ふかふか、やわらかい（硬軟感）、さらさら（ドライ感）」のいずれの場合には、官能評価（触感）が良好でなく、×と評価した。当該質問２に対する答えが、「しっとり、きめ細かい、なめらかの湿度感、滑り感」のいずれかの場合には、官能評価（触感）が良好であり、○と評価した。
【００８０】  比較例１に係る表面層は、平均表面摩擦係数(ＭＩＵ）が０．１５以下であり（本発明の条件を満たさない）、平均表面摩擦係数の変動（ＭＭＤ）が０．００７よりも小さく（本発明の条件を満たす）、比較評価で良好な結果を得ることができなかった。一方、比較例２に係る表面層は、平均表面摩擦係数(ＭＩＵ）が０．１５より大きく（本発明の条件を満たす）、平均表面摩擦係数の変動（ＭＭＤ）が０．００７以上（本発明の条件を満たさない）であり、比較評価で良好な結果を得ることができなかった。また、実施例１及び実施例２は、平均表面摩擦係数(ＭＩＵ）が０．１５より大きく（本発明の条件を満たす）、かつ平均表面摩擦係数の変動（ＭＭＤ）が０．００７よりも小さく（本発明の条件を満たす）、比較評価で良好な結果を得ることができた。このことから、平均表面摩擦係数(ＭＩＵ）は、０．１５よりも大きく、かつ平均表面摩擦係数の変動（ＭＭＤ）が０．００７よりも小さいことにより、肌に吸収性物品が追従してくるような触感を効果的に実現できることがわかった。
【００８１】  また、比較例１は、圧縮硬さ（ＬＣ）が０．４以下であり（本発明の条件を満たさない）、圧縮エネルギー（ＷＣ）が５．５ｇ・ｃｍ／ｃｍ２以上であり（本発明の条件を満たさない）、比較評価１で良好な結果を得ることができなかった。一方、実施例１、実施例２及び比較例２は、圧縮硬さ（ＬＣ）が０．４よりも大きく（本発明の条件を満たす）、圧縮エネルギー（ＷＣ）が５．５ｇ・ｃｍ／ｃｍ２よりも小さく（本発明の条件を満たす）、比較評価１で良好な結果を得ることができた。このことから、圧縮硬さ（ＬＣ）が０．４よりも大きく、かつ圧縮エネルギー（ＷＣ）が５．５ｇ・ｃｍ／ｃｍ２よりも小さいことにより、肌に吸収性物品が追従してくるような触感を効果的に実現できることがわかった。
【００８２】  なお、２０１４年４月１５日に出願された日本国特許出願第２０１４−０８３８８３号の全内容が、参照により、本明細書に組み込まれる。
【産業上の利用可能性】
【００８３】  本発明によれば、肌に吸収性物品が追従してくるような触感を実現し、装着感を向上させることができる吸収性物品を提供できる。
【符号の説明】
【００８４】１、１Ａ、１Ｂ      ：吸収性物品１０      ：表面層１１      ：液透過性シート１１Ａ    ：開口１２      ：ゲル１３      ：サイドシート２０      ：裏面層２１      ：液不透過性シート３０      ：吸収層３１      ：積層体４１      ：ゲル４２      ：孔４３      ：ウイング部Ｌ        ：製品前後方向ＲＡ      ：液透過領域ＲＢ      ：液不透過領域Ｗ        ：製品幅方向
【図１】
2015159878.tif 000004
【図２】
2015159878.tif 000005
【図３】
2015159878.tif 000006
【図４】
2015159878.tif 000007
【図５】
2015159878.tif 000008
【図６】
2015159878.tif 000009
【国際調査報告】
2015159878.tif 000010
2015159878.tif 000011
2015159878.tif 000012
2015159878.tif 000013